(57)【特許請求の範囲】
【請求項１】
一群として隣接して配された複数の音楽ドラムを保護する装置において、（ａ）少なくとも１のドラムの胴の側面に取り付けた外部調律機構をもち、該機構はドラムのヘッドの張力をかえるためにドラムのヘッドへとのび且つそこに取りつけられているロッドをもち、該ロッドは受器に受け入れられており、付与された張力をかえるために該ロッドの端にナットが固着されており、そして（ｂ）該受器と係合し且つドラムの胴の周辺をこえて突出している調律機構の放射状突起の限界をこえて突出している保護部材を有し、該保護部材が該ロッドのまわりに且つ該ナットに隣接して配した通常のワッシャー、及び調律用の該ロッドを受け入れる開口をもつ底板と該底板から直立する側面を有し、該側面が環状部分及び該環状部分をカバーする弾性材料をもつ立体ワッシャーからなることを特徴とする音楽ドラムを保護する装置。
【請求項２】
該直立する側面が該環状部分に接触する２つの直線部分をもち、これらの全部が該底板の端にある請求項１の装置。
【請求項３】
該環状部分の曲線が受器の外部表面の曲線と実質上同じである請求項２の装置。
【請求項４】
音楽ドラムの調律用ロッドのまわりに形成されており且つ該ロッド用の受器と係合していると共に、該ロッドのまわりに且つナットに隣接して配したワッシャーをもち、該ワッシャーが調律用の該ロッドを受け入れる開口をもつ底板を該底板から直立する側面を有し、該側面が環状部分及び該環状部分をカバーする弾性材料をもつことを特徴とする隣接して位置する音楽ドラムの胴を望ましくない接触から保護する保護装置。
【請求項５】
該直立する側面が該環状部分に接触する２つの直線部分をもち、これらの全部が該底板の端にある請求項４の装置。
【請求項６】
該環状部分の曲線が受器の外部表面の曲線と実質上同じである請求項５の装置。
【発明の詳細な説明】
【０００１】
【発明の属する技術分野】
本発明は楽器に関し、特にコンガ、ジェンベ（ｄｊｅｍｂｅ）その他の音楽ドラム類等のドラムその他を保護するのに有用な保護部材に関する。
【０００２】
【従来の技術】
上記したような楽器を演奏する際には、通常いくつものサイズのものをスタンドに配したり床に置くといった配置をする。最も一般的な演奏位置では演奏しやすいようにドラム類ができるだけ近くに配される。コンガドラム等の音楽ドラムの演奏ではかなりの程度の熱狂的でリズミカルな動きがありそれに伴い楽器どおしがしばしば衝突する。これらのドラムの胴（シェル）は一般に木、ガラス繊維又は複合材料からできていて、その外側は通常微細木質仕上げ、ゲル塗膜又は他の装飾的仕上げ加工がされており、互いの接触に敏感なものとなっている。これらのドラムの調律機構は通常ドラムヘッド上の張力をかえるように調節されるねじ切りしたロッドやナットを含むスチールでつくられている。
【０００３】
上記した音楽ドラムの場合には、外側に調律用部材があり、それらがドラムの胴の側面から突出している（スキンや合成材料でつくられた）ヘッドを伸長して調律するには大きな外的力を必要とするので、調律機構は大きく且つ突き出ている傾向がある。上記したように、これらのドラムは演奏中や取り扱い中に互いに接近接触することが多くまた上記したように通常スチール製の調律機構がドラムの胴を打って木質部を削り落としたりして仕上げ表面に損傷を与え楽器の外観や価値を損なうことが多い。
これらの問題点を解決する従来の試みとしては大体を覆うものがある。しかし、これは扱い難いだけでなくドラムヘッドを調律したり伸長する際の欠点となる。
【０００４】
【発明が解決しようとする課題】
従って本発明の第１の目的は調律機構がドラムの胴の側面を打ってそこが損傷するのを防止する手段を提供することにある。
本発明の更なる目的は極めて簡単な手段を調律機構に取りつけて上記を達成することにある。
【０００５】
【課題を解決するための手段】
本発明の主たる特徴は、一群として隣接して配された複数の音楽ドラムにおいて、少なくとも１のドラムの胴の側面に取り付けた外部調律機構をもち、該機構はドラムのヘッドの張力をかえるためにドラムのヘッドへとのび且つそこに取りつけられているロッドをもち、該ロッドは受器に受け入れられており、付与された張力をかえるために該ロッドの端にナットが固着されており、そして該受器と係合し且つドラムの胴の周辺をこえて突出している調律機構の放射状突起の限界をこえて突出している保護部材を有し、それにより保護部材以外による他のドラムとの接触を防止する配置にある。
本発明の他の目的、利点及び特徴は部品に番号を付した図面を参照しての明細書の以下の記載から明らかとなろう。
【０００６】
【発明の実施の形態】
まず図１を参照するに、そこには２個のコンガドラム１０からなる一群が記載されており、これは３個以上のさらに大きな一群の一部でありうる。本発明を説明するために示したドラム１０は、当然のことながら、種々の異なる位置に配することができまた適当に乗せた状態にすることもできる。しかし、本発明の目的にとってそれらは互いに非常に接近した間隔をもち前記した問題を生じうる状態にあると仮定する。
ドラム１０の各々はスキン又は合成材料からなるドラムヘッド１２をもつように構成されている。スキンは通常の方法でリング１４内に保持する。スキンを把持することによって調律のための張力が付与される。調律は通常４又は５個のドラムの各々の周辺に間隔を置いて配した調律機構１６によって行われる。
【０００７】
スキン張力をリング１４の周りで完全にかえうる調律機構１６の各々にはロッド１８があり、このロッド１８はその上端にリング１４と一体につくられた突起部の開口２２内に適合するフック２０を有している。この調律機構１６の一部を形成しているロッド１８は受器３０に受け入れられた上受器からのびて通常の部材であるワッシャー３２及びナット３４と係合するようになっている。ナット３４はロッド１８のねじ３６に沿って選択的に動いて、リング１４の作用を通してドラムのヘッド１２により大きい又はより小さい張力を付与してドラムの張力を調節する。受器３０は、ドラムの胴１３にリベットその他で調律機構１６を取り付けることを可能とする機能をもつプレート３７の一体部品に相当するといえる。
【０００８】
本発明では、前記したように一群に配された音楽ドラムを保護するための保護部材４０をもつ。調律機構１６の周囲全体を覆うのではなく、簡単な特定構造の立体ワッシャーをつくり、この簡単な手段と位置関係を確立することによって、ドラムを熱狂的にリズミカルに演奏している際等にドラムが不注意でぶつかり合ってドラムの胴１３が損傷するのを防ぐ。
【０００９】
図２及び図３に示すように、好ましい保護部材４０は、基本的には強度用の金属からなるが弾性カバー４１も有している特殊な立体ワッシャーの形状をしており、好ましくはその下端で調律ロッド１８をはさみそして通常のワッシャー３２に隣接して配する。
上記の特殊なワッシャー４０は開口４２をもち、図２に示す位置にあるときには調律機構の他の部材、即ち受器３０、ワッシャー３２及びナット３４の放射状の突起をこえて放射状に突出するような寸法をもち、それによって、弾性カバー４１により、他の隣接するドラムの胴との損傷を伴う接触が防止される。
【００１０】
図４−図９に示すように、保護部材の好ましい態様は、直立側面４４をもつ底板状部材４３をもつ。この側面の前部４４Ａは幾分限定された程度直立しており、一方環状部分４４Ｂは前部より大きく突起している。この環状部分が上記した目的に必要な弾性を付与し、ドラム１０が接触したときの力を吸収する。金属製ワッシャーの環状部分４４Ｂのまわりのゴム成形体によって必要な弾性がもたらされる。このゴムとしてはプラスチック、シリコーンその他の材料を用いうる。以上本発明を好ましい態様について説明したが本発明はこれらに制限されるものではない。
【図面の簡単な説明】
【図１】  互いに近接して配した一群のコンガドラムの斜視図。
【図２】  互いに近接して配した２つのコンガドラムの部分正面図。
【図３】  保護部材と調律機構の他の部材との関係を示す部分分解図。
【図４】  保護部材の斜視図。
【図５】  保護部材の側面図。
【図６】  図４の６−６線の断面図。
【図７】  保護部材の正面図。
【図８】  保護部材の平面図。
【図９】  保護部材の底面図。
【符号の説明】
１０    コンガドラム
１２    ドラムヘッド
１３    胴
１４    リング
１６    調律機構
１８    ロッド
２０    フック
２２    開口
３０    受器
３２    ワッシャー
３４    ナット
【図１】
0004502514.tif 000002
【図２】
0004502514.tif 000003
【図３】
0004502514.tif 000004
【図４】
0004502514.tif 000005
【図５】
0004502514.tif 000006
【図６】
0004502514.tif 000007
【図７】
0004502514.tif 000008
【図８】
0004502514.tif 000009
【図９】
0004502514.tif 000010